(57)【要約】【課題】傾斜したワイヤラック面に多数の栽培ポットを懸架して空間を立体的に利用する栽培装置であって、地栽培に比して土地の生産性を高め、また、傾斜地や既存のビニールハウスも利用できるし、また、イチゴをはじめキノコ、軟弱野菜、土物野菜等の栽培に適した作物栽培装置を提供する。【解決手段】  複数組の上部ワイヤと下部ワイヤ組み合わせを横枠にて保持するワイヤラックを上部横桁に対して片側又は両側に、かつ、垂直に対して１０〜２０°の範囲で傾斜させて立設し、又は、ワイヤラックを垂直に立設し、また、該ワイヤラックの上部ワイヤに栽培ポットの上部に在る単数又は複数の懸架フックを引掛けると共に、該栽培ポットをワイヤラック面に対して垂直方向へ２０〜４０°の範囲で同方向に又は互い違いに傾斜させて、下部ワイヤ上に該栽培ポットを載置し係止することにより、複数の栽培ポットを升目状又は千鳥状に多段、多列に配設したことを特徴とする。【選択図】図１
0003121520.tif 000002
【実用新案登録請求の範囲】
【請求項１】
複数組の上部ワイヤと下部ワイヤとの組合わせを横枠にて保持するワイヤラックを上部横桁に対して片側又は両側に、かつ、垂直に対して１０〜２０°の範囲で傾斜させて立設し、また、該ワイヤラックの上部ワイヤに、栽培ポットの上部に在る単数又は複数の懸架フックを引掛けると共に、該栽培ポットをワイヤラック面に対して垂直方向へ２０〜４０°の範囲で同方向に又は互い違いに傾斜させて、下部ワイヤ上に該栽培ポットを載置して係止することにより、複数の栽培ポットを升目状又は千鳥状に多段、多列に配設したことを特徴とする作物栽培装置。
【請求項２】
複数組の上部ワイヤと下部ワイヤとの組合わせを横枠にて保持するワイヤラックを垂直に立設し、該ワイヤラックの上部ワイヤに栽培ポットの上部に在る単数又は複数の懸架フックを引掛けると共に、該栽培ポットをワイヤラック面に対して垂直方向へ２０〜４０°の範囲で同方向に又は互い違いに傾斜させて、下部ワイヤ上に該栽培ポットを載置し係止することにより、複数の栽培ポットを升目状又は千鳥状に多段、多列に配設したことを特徴とする作物栽培装置。
【請求項３】
前記栽培ポットが、合成樹脂製で、テーパー筒状の形状を有し、上環状部１２の一部に下方に開口する単数又は複数の鉤状懸架フック１１と、外周面１４の横断面で反懸架フック１１側に在る円錐筒形外周面１４ｂの下部に載置突起部１７と、底面１５に糸きり部１６と、を設けたことを特徴とする請求項ｌ又は２に記載の作物栽培装置。
【請求項４】
前記栽培ポットをワイヤラックの下部ワイヤ上に載置する面が、前記載置突起部１７と糸きり部１６との間の部位であることを特徴とする請求項３に記載の作物栽培装置。
【請求項５】
前記栽培ポットが、合成樹脂製で、テーパー筒状の形状を有し、上面が底面１５に対して１０〜２０°の範囲で傾斜を有し、下方に円弧状に湾曲した円周縁１２ａと、一部が下方に開口する単数又は複数の鉤状懸架フック１１を有する壁面１２ｂと、壁面１２ｂ上部に壁状の背面板１３と、から成る上環状部１２と、外周面１４の懸架フック１１側に在る略垂直であって、かつ、両端部に上下方向に壁面１２ｂまで延在する凸条１９を設けた壁状外周面１４ｃと、外周面１４の上側略２／３に在る円筒形外周面１４ａと、下側略１／３に在る円錐筒形外周面１４ｂと、該円錐筒形外周面１４ｂの下部に載置突起部１７と、糸きり部１６を有し、かつ、単数又は複数の排水孔１８が在る底面１５と、から構成されることを特徴とする請求項ｌから４のいずれかに記載の作物栽培装置。
【考案の詳細な説明】
【技術分野】
【０００１】
本考案は、傾斜した又は垂直のワイヤラック面に多数の栽培ポットを懸架して空間を立体的に有効に利用する栽培装置であって、主としてイチゴ栽培に適し、その他キノコ、軟弱野菜、土物野菜等の栽培に適する作物栽培装置に関するものである。
【背景技術】
【０００２】
従来、イチゴをはじめキノコ、軟弱野菜、土物野菜等の栽培は畝を用いて行われている。また、温度、日照等の栽培条件を適切にするビニールハウスもこれらの栽培に用いられてきた。従来からの土耕栽培は、育苗から収穫までの一連の作業は、中腰やしゃがんだ姿勢での作業が多く、重労働作業である。このような労働条件を改善するために、高設栽培の実施が一部において行われている。従来の土耕栽培におけると同様な比較的簡便な管理のもとで、少量の軽量培土を用いることにより、省力的な農作物の高設栽培を可能にする先行技術が開示されている。（特許文献１参照）
【０００３】
しかし、この高設栽培装置は、栽培容器上面を作業し易い位置にして労働条件を改善するためには良いが、土地の生産性の面で空間を有効に利用しているとはいえない。また、畝上の空間温度を適切にするために合成樹脂シートで覆い、外気と遮断して温度調節手段を設ける点もよいが、既存のビニールハウスを活用すれば、装置が重複する問題もあった。そこで、本出願人はこの問題を解消するために、傾斜したワイヤネット面に多数の栽培ポットを懸架した作物栽培装置を考案した。（特許文献２参照）
【特許文献１】特開平１０−１０８５４８号公報
【特許文献２】登録実用新案第３１１４０６６号公報
【考案の開示】
【考案が解決しようとする課題】
【０００４】
しかし、この作物栽培装置は栽培ポットを傾斜したワイヤネット面に懸架保持するのに、ネットの上部ワイヤに栽培ポットの懸架フックを引掛けて荷重を受けると共に、ネットの縦線間に栽培ポット下部の傾斜面を挟持して傾斜を保持する形態をとっているので、簡易な手段で挟持できているが、ワイヤの縦線間の距離が強風や振動で狂ったりすると栽培ポットを強固に保持できない問題があった。
【０００５】
本考案は、上記の問題点を解消するために為したものであって、その目的は、傾斜した又は垂直のワイヤラック面に多数の栽培ポットを懸架して空間を立体的に利用する栽培装置であって、ワイヤラックの高さが高くても、また、強風や振動に対しても栽培ポットを強固に保持できるから、多段多列の栽培ポットを懸架した作物栽培装置にすることにより、地栽培に比して土地の生産性を高め、また、傾斜地や既存のビニールハウスも利用できることは勿論、ビル等の建物の屋上又は壁面を利用して設置することも可能であるし、また、イチゴをはじめキノコ、軟弱野菜、土物野菜等の栽培に適した作物栽培装置を提供するものである。
【課題を解決するための手段】
【０００６】
本考案（請求項ｌ）に係る作物栽培装置は、複数組の上部ワイヤと下部ワイヤとの組合わせを横枠にて保持するワイヤラックを上部横桁に対して片側又は両側に、かつ、垂直に対して１０〜２０°の範囲で傾斜させて立設し、また、該ワイヤラックの上部ワイヤに栽培ポットの上部に在る単数又は複数の懸架フックを引掛けると共に、該栽培ポットをワイヤラック面に対して垂直方向へ２０〜４０°の範囲で同方向に又は互い違いに傾斜させて、下部ワイヤ上に該栽培ポットを載置し係止することにより、複数の栽培ポットを升目状又は千鳥状に多段、多列に配設したことを特徴とする。また、請求項２に係る作物栽培装置は、複数組の上部ワイヤと下部ワイヤとの組合わせを横枠にて保持するワイヤラックを垂直に立設し、該ワイヤラックの上部ワイヤに栽培ポットの上部に在る単数又は複数の懸架フックを引掛けると共に、該栽培ポットをワイヤラック面に対して垂直方向へ２０〜４０°の範囲で同方向に又は互い違いに傾斜させて、下部ワイヤ上に該栽培ポットを載置し係止することにより、複数の栽培ポットを升目状又は千鳥状に多段、多列に配設したことを特徴とする。
【０００７】
本考案によれば、立体空間を活用した作物栽培装置であるから、土耕栽培に比し設置面積あたりの生産性を高くできる。また、作物栽培装置の設置場所を選択するにおいて制約が少なく、荒れ地や傾斜地など耕地に適さない場所でも、本考案の作物栽培装置を設置して栽培することが可能である。また、既設のビニールハウス内で本考案の作物栽培装置を設置することも可能であって、栽培環境を好適にすることができる。また、栽培ポットに関連した栽培作業において、腰を屈めた状態の作業が少なくできるから作業者の労働負担を軽くできる。本考案の作物栽培装置のワイヤラックは軽量であり、そのワイヤラックを斜めに又は垂直に設置されている本装置も自立できる簡便な構造であり、また、栽培ポットも前記ワイヤラックに引掛けて、かつ、載置するだけの簡便な方法の設置であるから、日照条件等栽培環境に合わせて作物栽培装置の配置転換も容易である。また、ワイヤラックを円筒形状にした作物栽培装置は、ディスプレーに新規性があって観光農園に適している。また、栽培ポットも地面に接していない空間に配設されるから地面からのなめくじ等の害虫、病原菌による被害も少なくできる。よって、無農薬で栽培できる可能性がある。
【０００８】
ワイヤラックの上部ワイヤに栽培ポットの懸架フックの引っ掛け又は取り外しにより栽培ポット数の増減や栽培ポットの保守等の作業が容易にできる。このように栽培ポットの取り付け及び取り外しの交換作業が容易だから、時と場合により、作物栽培に最適な土壌を装填した栽培ポットを用意しておけば、生産する作物に適した栽培ポットへの転換作業が時間を無駄にすることなく手早く行うことができる。また、一連の栽培作業が栽培ポットを懸架したままの状態でも可能であり、或いは、栽培ポットを取り外しや取り込みを行って別場所で集中的に処理することも可能であって、このように作物の播種を含む作物栽培及び収穫等の作業形態を適切に選択することが可能である。
【０００９】
また、本考案（請求項３）に係る作物栽培装置は、請求項１又は２に記載の作物栽培装置において、栽培ポットが、合成樹脂製で、テーパー筒状の形状を有し、上環状部１２の一部に下方に開口する単数又は複数の鉤状懸架フック１１と、外周面１４の横断面で反懸架フック１１側に在る傾斜外周面１４ｂの下部に載置係止部１７と、底面１５に糸きり部１６と、を設けたことを特徴とする。また、本考案（請求項４）に係る作物栽培装置は、請求項３に記載の作物栽培装置において、前記栽培ポットをワイヤラックの下部ワイヤ上に載置する面が、前記載置係止部１７と糸きり部１６との間の部位であることを特徴とする。
【００１０】
また、本考案（請求項５）に係る作物栽培装置は、請求項１から４のいずれかに記載の作物栽培装置において、前記栽培ポットが、合成樹脂製で、テーパー筒状の形状を有し、上面が底面１５に対して１０〜２０°の範囲で傾斜を有し、下方に円弧状に湾曲した円周縁１２ａと、一部が下方に開口する単数又は複数の鉤状懸架フック１１を有する壁面１２ｂと、壁面１２ｂ上部に壁状の背面板１３と、から成る上環状部１２と、外周面１４の懸架フック１１側に在る略垂直であって、かつ、両端部に上下方向に壁面１２まで延在する凸条１９を設けた壁状外周面１４ｃと、外周面１４の上側略２／３に在る円筒形外周面１４ａと、下側略１／３に在る円錐筒形外周面１４ｂと、該円錐筒形外周面１４ｂの下部に載置係止部１７と、糸きり部１６を有し、かつ、単数又は複数の排水孔１８が在る底面１５と、から構成されることを特徴とする。
【００１１】
また、本考案によれば、栽培ポットが合成樹脂製であるから、軽量で、寸法精度のよい、しかも、強度の高い栽培ポットが提供できる。さらに、該栽培ポットの薄肉化も十分可能であり、栽培ポットを多列、多段に設置しても、ワイヤラックに掛かる荷重を増加せずに適切にすることができる。また、栽培ポットが、単数又は複数の懸架フックによりワイヤラックの上部ワイヤに掛止されると共に、傾斜外周面１４ｂの下部の載置係止部１７と糸きり部１６との間の部位を下部ワイヤ上に載置して係止できるから、栽培ポット内の土壌や作物を含む静荷重は勿論、強風や振動等で受ける動荷重に対しても、傾斜して懸架される栽培ポットを確実に固定することができる。また、イチゴ栽培の場合において、栽培ポットに潅水した水の排水が下段以降の栽培ポット中にあるイチゴの葉に当たると枯れるけれども、本考案によれば上段の栽培ポットの排水孔１８からの水が下段以降の栽培ポット中に入らぬようにすることが、栽培ポットの上下の配置や背面板１３の設置や壁状外周面１４ｃの凸条１９等を設置することにより可能である。また、栽培ポットの上環状部１２がほぼ水平に配置されることと、円周縁１２ａが円弧であるので、イチゴ栽培において、実を付けた茎が上環状部１２の外へ張出しても茎が折れないからイチゴの実の収穫を確実にできる。
【考案の効果】
【００１２】
以上説明したように、本考案に係る作物栽培装置は、立体空間を活用した栽培装置であるから、設置場所に囚われず、耕地に適さない荒れ地や傾斜地でも設置可能である。しかも、既存のビニールハウスにおいても栽培環境条件を十分生かせて本栽培装置を適用することができる。また、地上の設置面積当たりの生産量が大きく取れるので土地面積当たりの作物栽培の量産化に適している。また、作物栽培装置は簡便な構造のワイヤラックと合成樹脂製の軽量、強靭な栽培ポットで構成されているので、栽培が適切に行える栽培条件、例えば日照や気候とかに合わせた配置に転換又は移動を行うことがより可能である。また、本考案による栽培ポットによれば、ワイヤラックへの取り付けや取り外しが簡単だから、栽培ポット数の増減作業や栽培ポットの保守作業も容易で、栽培作業が合理的に行える利点がある。
【００１３】
また、本考案に係る作物栽培装置は移動配置が簡易であるから、作物の種類に応じた配置や生産規模の調整が容易であるし、また、季節に応じて、本考案の装置による栽培と本装置を取外して土耕栽培へと切り替えることも、又その逆も可能である。また、本考案の装置を多行多列集合体に配設することにより大規模な生産設備として適用できる。また、建物の屋上へ本装置を設置し或いは壁面に垂直ワイヤラックを適用することにより、緑化や日照による建物の温度上昇の防止等に貢献できるから環境保全にも役立たせることができる。
【００１４】
また、イチゴ栽培の場合に、栽培ポットを地面に接していない空間に配設できるから、地面からの害虫、病原菌による被害も少なくできる。また、栽培ポットに潅水した水の排水が下段以降の栽培ポット中にあるイチゴの葉に当たると枯れるが、本考案によれば上段の栽培ポットの排水孔からの水が下段以降の栽培ポット中に入らぬように、栽培ポットの上下の配置や背面板の設置や壁状外周面の凸条の設置等を行っているので、イチゴの栽培が確実にできる。また、栽培ポットの上環状部が、ほぼ水平に配置されることと、円周縁が円弧であるので、イチゴ栽培において、実を付けた茎が上環状部の外へ張出しても茎が折れないからイチゴの実の収穫を確実にできる。
【考案を実施するための最良の形態】
【００１５】
以下、本考案の実施するための最良の形態を図面に基づいて説明する。図１は、本考案の実施するための最良の形態に係る作物栽培装置の模式的全体斜視図であって、両側ワイヤラックに栽培ポットを懸架したものである。図２は、図１の作物栽培装置を多行多列に配設した集合体の一例である。図３は、本考案の実施するための最良の形態に係る作物栽培装置の模式的全体斜視図であって、垂直ワイヤラックに栽培ポットを相互に傾斜を違えて懸架したものである。図４は、図１ａの作物栽培装置において、（ａ）は部分的側面図、（ｂ）は部分的正面図、（ｃ）は部分的背面図である。図５は、図３の作物栽培装置において、（ａ）はワイヤラックに対して栽培ポットを互い違いに傾斜して配列した部分的正面図、（ｂ）はワイヤラックに対して栽培ポットを一方向に傾斜して配列した部分的正面図である。図６は、本考案の実施するための最良の形態に係る作物栽培装置の栽培ポットの平面図（ａ）、Ａ矢視の背面図（ｂ）、Ｂ−Ｂ矢視の側面断面図（ｃ）である。
【００１６】
本考案の実施するための最良の形態に係る作物栽培装置ｌについて図ｌ、２、３、４に基づいて説明すると、作物栽培装置ｌは、複数の栽培ポット１０と、該栽培ポット１０を懸架するワイヤラック４と、から構成される。ワイヤラック４は、横枠２と、横桁３と、その枠桁内で水平方向に張られた一対の上部ワイヤ４ａと下部ワイヤ４ｂとが複数組配設されて構成される。ワイヤは金属製で、径は４ｍｍ前後が適当であり、例えばステンレススチール線が耐久性、強度の点でよく、上部ワイヤ４ａと下部ワイヤ４ｂはいずれも両端部が横枠２を貫通するか、又は接着して弛まないように引っ張られて係止する。また、横枠２間に張られた複数組の上、下部ワイヤ４ａ，４ｂを上下方向に繋ぐ補強ワイヤ４ｃを配設すると、上、下部ワイヤ４ａ，４ｂを確実にその位置に保持することができる。
【００１７】
作物栽培装置ｌにおいて、ワイヤラック４は、通常地面５上に一対傾斜面か、若しくは、片傾斜面で立設するか、又は、垂直に立設した構造を採るか、若しく、吊下げられる構造を採ることができる。この場合、日照や栽培条件によって、図１のように上部横桁３に対して両側にワイヤラック４を設置する場合と、図示しないが上部横桁３に対して片側にワイヤラック４を設置する場合とが選択できる。また、図１の栽培ポット１０の一部に、本実施の形態に係わる代表例としてイチゴ栽培の状況を示している。また、図２には、図１の作物栽培装置１を多行多列に配設した集合体であって、大規模生産の作物栽培装置とした適用例である。図３には、ワイヤラック４を垂直に設置した作物栽培装置１を示す。
【００１８】
ワイヤラック４の上部ワイヤ４ａには栽培ポット１０の単数又は複数の懸架フック１１が引掛けられると共に、栽培ポット１０の下部、即ち、傾斜外周面１４ｂの下部の載置係止部１７と糸きり部１６間の部位を下部ワイヤ４ｂ上に載置・係止することにより、栽培ポット１０をワイヤラック４に固定する。また、栽培ポット１０のワイヤラック４の上、下部ワイヤ４ａ，４ｂ対する配置は、図４ｂ、ｃが升目状配置であって、図示しないが千鳥状の配置も可能であって、作物の栽培条件、主として日照条件や装置の生産性規模や栽培ポット１０の大きさ等によって適切に選択できる。また、図４に示すように、ワイヤラック４面は、垂直に対する角度αが１０〜２０°の範囲で傾斜して立設でき、かつ、栽培ポット１０の軸心のワイヤラック４面に対する角度βが２０〜４０°の範囲にすることにより、栽培ポット１０の上環状部１２をほぼ水平にして作物を栽培し易くすることができる。また、栽培ポット１０の排水孔１８からの排水（図示していない）が下段以下の栽培ポット１０に掛からない配置とすることができる。また、本作物栽培装置１のワイヤラック４と栽培ポット１０との組み合わせによれば、作物栽培装置１が強風や振動に対しても安定しており、しかも、地面への設置面積に対して栽培ポット１０の懸架数を増やして生産性を高めることが可能である。また、図５ａ，ｂによれば、垂直ワイヤラック４面に対して、栽培ポット１０を（ａ）はワイヤラックに対して栽培ポットを互い違いに傾斜方向を違えて配列し、（ｂ）はワイヤラックに対して栽培ポットを傾斜が同一方向に配列したことにより、日照や栽培条件により適切な配置を選択することができる。
【００１９】
図６ａ，ｂ，ｃに示すように、栽培ポット１０は、テーパー筒状の外形を有しているから、製作にあたっては成型性のよい、強度が薄肉でも高い点で、ポリプロピレン系の合成樹脂材を用いて、金型による射出成型法で製作される。栽培ポット１０の代表的寸法は、上環状部１２径が２２０ｍｍ、外周面１４の最大径が１６０ｍｍ、底面１５が７０ｍｍφであり、深さは約１９０ｍｍである。栽培ポット１０の軸心は、底面１５に対して垂直であるが、一方、栽培ポット１０の上面は、下方に円弧状に湾曲した円周縁１２ａと、一部が下方に開口する単数又は複数の鉤状懸架フック１１を有する壁面１２ｂとから成る上環状部１２の上面であるが、底面１５に対する角度γが１０〜２０°の範囲で反懸架フック１１側に対して上向きに傾斜している。また、複数の懸架フック１１の場合は、壁面１２ｂにある距離を離間して平行に配設される。また、栽培ポット１０の下部、即ち、傾斜外周面１４ｂの下部の載置係止部１７と底面１５の糸きり部１６間の部位を下部ワイヤ４ｂ上に載置・係止して、栽培ポット１０をワイヤラック４に固定する。この構成により本考案の場合、栽培ポット１０がワイヤラック４面に懸架・載置して固定された時に、上環状部１２がほぼ水平となる。また、栽培ポット１０の上環状部１２がほぼ水平に配置されることと、円周縁１２ａが円弧状であるので、図１ａに示すように、イチゴ栽培において、実を付けた茎が上環状部１２の外へ張出しても、茎が折れないからイチゴの実を確実な姿で収穫できる。また、上段の栽培ポット１０からイチゴのランナーを下段の栽培ポット１０に移してイチゴを増やす場合でも、この円周縁１２ａはランナーを傷めないのでよい。
【００２０】
外周面１４は、懸架フック１１側に在って、略垂直で、かつ、両端部に上下方向壁面１２ｂまで延在する凸条１９を設けた壁状外周面１４ｃと、反懸架フック１１側に在って、上側略２／３に在る円筒形外周面１４ａと、下側略１／３で、かつ、横断面で円弧を呈する円錐筒形外周面１４ｂと、単数又は複数の排水孔１８を有する底面１５と、から構成される。この凸条１９は、栽培ポット１０がワイヤラック４面に懸架された場合に、上段の栽培ポット１０の排水孔１８から出た排水が下の栽培ポットの壁面１２ｂ及び壁状外周面１４ｃに当たって落ちるが、その排水が反懸架フック側の外周面１４ａ、１４ｂに廻りこんで、次々段の栽培ポット１０中に入らないように、壁状外周面１４ｃに沿うて流下するガイドの役目をする。このことは、イチゴ栽培の場合に、イチゴの葉を枯らさないためにも重要なことである。また、壁状外周面１４ｃ上に設けた壁状の背面板１３も栽培ポット１０内に排水が落ちることを防止する。また、栽培ポット１０の径と深さの比は１〜１．７の範囲であるが、深い方が、根が深く生育するので栽培にとってよい。とくに、イチゴ栽培においては、深さ１５０ｍｍ以上が良いとされる。また、通常栽培ポット１０の内底部に目皿板（図示しない）が底面１５から離間された位置に載置されて、培土（図示しない）と底面１５との間に空間がとれるので排水がよくなる。
【００２１】
本考案による作物栽培装置１を用いたイチゴ栽培の例を説明すると、イチゴ栽培においては、イチゴの苗を１０月に植え付け、冷涼な気候を過ごして、翌年５〜６月に収穫される。本考案による作物栽培装置１によれば、栽培ポット１０にイチゴの苗を植え付ける時に、実が付く方向を反ワイヤラック４側に向け、ランナーをワイヤラック４側にすると管理しやすいし、収穫作業も楽である。また、ワイヤラック４の設置は、栽培ポット１０を日の当たる方へ設置するのがよく、イチゴの葉や実の生育のためにもよい。この場合に、ワイヤラック４を両側の傾斜面にするか、片側の傾斜面にするか、或いは垂直にするか、さらに、栽培ポット１０の配列を千鳥状にするか、升目状にするかは、栽培状況に合わせて適切に選択することができる。また、栽培ポット１０は独立した培土にイチゴを植え付けているので、畝栽培のように株間を３０ｃｍ離れさせることに留意する必要が無い。また、下葉やランナーを取り除いたり、実の下に保温材を敷くとか、葉に泥が付かないようにする管理作業は、本作物栽培装置１の場合には目線の高さで行うことができるので作業がし易い。また、栽培ポット１０は地面から隔離されているので、地面からのなめくじ等の害虫や病原菌に冒されることがない。また、イチゴは連作による障害があるが、本装置によれば、培土の入れ替えが栽培ポット１０単位で行えるので対応し易い。また、本装置は生産性が高いので、夏季にビニールハウスで冷房して、イチゴを栽培しても採算を十分取ることもできる。本考案による作物栽培装置はイチゴ栽培に限定されず、キノコ、軟弱野菜、土物野菜等にも適用できることは言うまでも無い。
【産業上の利用可能性】
【００２２】
野菜をはじめ作物の栽培において設置面積当たり生産性の高い作物栽培装置であって、耕地に依存することなく底地や傾斜地に、又は既存のビニールハウス内に設置可能であり、しかも、栽培条件が適切な場所への配置が容易であり、地面からの害虫や病原菌の蔓延を防ぎやすいし、また、栽培ポットの形状も野菜をはじめ作物の生産栽培において好適に利用できる。
【図面の簡単な説明】
【００２３】
【図１】本考案の実施するための最良の形態に係る作物栽培装置の模式的全体斜視図であって、両側ワイヤラックに栽培ポットを懸架したものである。
【図２】図１の作物栽培装置を多行多列に配設した集合体の一例である。
【図３】本考案の実施するための最良の形態に係る作物栽培装置の模式的部分斜視図であって、垂直ワイヤラックに栽培ポットを相互に傾斜を違えて懸架したものである。
【図４】図１ａの作物栽培装置において、（ａ）は部分的側面図、（ｂ）は部分的正面図、（ｃ）は部分的背面図である。
【図５】図３の作物栽培装置において、（ａ）はワイヤラックに対して栽培ポットを互い違いに傾斜して配列した部分的側面図、（ｂ）はワイヤラックに対して栽培ポットを一方向に傾斜して配列した部分的側面図である。
【図６】本考案の実施するための最良の形態に係る作物栽培装置の栽培ポットの平面図（ａ）、Ａ矢視の背面図（ｂ）、Ｂ−Ｂ矢視の側面断面図（ｃ）である。
【符号の説明】
【００２４】
１：作物栽培装置        ２：横枠          ３：横桁          ４：ワイヤラック 
４ａ：上部ワイヤ      ４ｂ：下部ワイヤ    ４ｃ：補強ワイヤ  ５：地面        
１０：栽培ポット      １１：懸架フック  １２：上環状部    １２ａ：円周縁
１２ｂ：壁面            １３：背面板    １４：外周面      １４ａ：円筒形外周面      １４ｂ：円錐筒形外周面    １４ｃ：壁状外周面    １５：底面    １６：糸きり部      １７：載置係止部      １８：排水孔        １９：凸条    ３０：イチゴ            α：傾斜角      β：傾斜角      γ：傾斜角
【図１】
0003121520.tif 000003
【図２】
0003121520.tif 000004
【図３】
0003121520.tif 000005
【図４】
0003121520.tif 000006
【図５】
0003121520.tif 000007
【図６】
0003121520.tif 000008